(57)【特許請求の範囲】
【請求項１】
メインベース部、該メインベース部の両側で前記メインベース部の面に対して垂直方向に延長された第１及び第２延長部、前記第１及び第２延長部に前記メインベース部の中心方向にそれぞれ延長された第１及び第２補助ベース部を含むケースと、
前記メインベース部、第１及び第２延長部及び第１及び第２補助ベース部がお互いに構造的に連結されて形成されたガイド溝に安着された基板と、
前記基板の長さ方向に前記基板の一面に配置された複数の発光素子と、
前記基板の他面に配置された駆動ドライバーを含み、
前記駆動ドライバーが前記第１及び第２延長部に挿入されるように前記第１及び第２延長部のうちで少なくとも一つは開口部を有することを特徴とする照明モジュール。
【請求項２】
前記開口部に挿入された駆動ドライバーは、前記ケース外側に露出して、前記開口部の外周と間隔を置いて設置されることを特徴とする請求項１に記載の照明モジュール。
【請求項３】
前記駆動ドライバーと前記開口部の外周との間の間隔は、最小２ｍｍ以上であることを特徴とする請求項２に記載の照明モジュール。
【請求項４】
前記基板は単一基板であり、前記複数の発光素子は、前記単一基板の一面に電気的に分離されて配置された第１発光素子グループと第２発光素子グループを含み、
前記駆動ドライバーは、前記第１発光素子グループと前記第２発光素子グループを分離駆動するための第１駆動ドライバー及び第２駆動ドライバーを含むことを特徴とする請求項１〜３のうちで何れか一つに記載の照明モジュール。
【請求項５】
両末端が前記ガイド溝に挿入されて、前記複数の発光素子と光学的に結合される導光板をさらに含み、
前記第１及び第２補助ベース部は、前記導光板を支持する突出部を有することを特徴とする請求項１〜４のうちで何れか一つに記載の照明モジュール。
【請求項６】
前記導光板の長さ方向に垂直な前記導光板の側端部の面は、溝を有し、前記第１及び第２補助ベース部の突出部は、前記溝に連結されることを特徴とする請求項５に記載の照明モジュール。
【請求項７】
前記メインベース部は板形状を有して、
中央部が陥没された陥没部と前記陥没部の周辺に前記陥没部より高い縁部を有することを特徴とする請求項１〜６のうちで何れか一つに記載の照明モジュール。
【請求項８】
前記メインベース部は、前記縁部前、後側で前記縁部の一面に対して垂直方向に延長されたフランジを含むことを特徴とする請求項７に記載の照明モジュール。
【請求項９】
前記第１及び第２補助ベース部は、前記第１及び第２延長部の一面に対してそれぞれ鋭角を有し、前記第１及び第２延長部に延長されることを特徴とする請求項１〜８のうちで何れか一つに記載の照明モジュール。
【請求項１０】
前記ケースの内側に前記メインベース部と接する支持板をさらに含むことを特徴とする請求項１〜９のうちで何れか一つに記載の照明モジュール。
【請求項１１】
前記支持板は、前記メインベース部の陥没部と接するベース部、前記メインベース部の縁部と接する第３及び第４部材、前記ベース部の両末端と前記第３及び第４部材をそれぞれ連結する第１及び第２部材を含み、
前記第１及び第２部材の末端部は開口部を有することを特徴とする請求項１０に記載の照明モジュール。
【請求項１２】
前記導光板は、該導光板に入射された光の経路を変換するか、または屈折させるレンズアレイが少なくとも一部に配置されることを特徴とする請求項５に記載の照明モジュール。
【請求項１３】
前記レンズアレイは、所定のパターンを有する複数のレンズを含むことを特徴とする請求項１２に記載の照明モジュール。
【請求項１４】
前記複数のレンズの高さは非均一であることを特徴とする請求項１３に記載の照明モジュール。
【請求項１５】
前記レンズアレイのうちで一部領域のレンズ高さは、およそ０．１５〜０．３０ｍｍ範囲内であり、他の領域のレンズの高さ(sag)は、およそ０．４０〜０．５５ｍｍ範囲内であることを特徴とする請求項１２〜１４のうちで何れか一つに記載の照明モジュール。
【請求項１６】
両末端が前記ガイド溝に挿入されて、前記導光板の上部に配置される反射板をさらに含み、
前記反射板の両末端で折曲されて、垂直方向に延長される屈曲部を有することを特徴とする請求項５、請求項１２〜１５のうちで何れか一つに記載の照明モジュール。
【請求項１７】
前記反射板の材質はフレキシブルであることを特徴とする請求項１６に記載の照明モジュール。
【発明の詳細な説明】
【技術分野】
【０００１】
本発明の実施例は、照明モジュール及びこれを含んだ照明装置に関するものである。
【背景技術】
【０００２】
一般に、室内または室外の照明灯として電球や蛍光灯がたくさん使用されているが、このような電球や蛍光灯は寿命が短くて、頻繁に交換しなければならないという問題がある。また、従来の蛍光灯はその使用時間の経過による劣化によって照度が徐々に低下する現象が過度に発生する問題がある。
【０００３】
このような問題を解決するために優秀な制御性、速い応答速度、高い電気光変換効率、長い寿命、少ない消費電力及び高い輝度の特性及び感性照明を具現することができるＬＥＤを使用する照明装置が開発されている。
【０００４】
一方、ＬＥＤを適用した多くの照明装置は、大部分の場合、設置される空間の構造によって形状や模様が制約されて作られている。よって、照明装置は使用される分野や空間に対して使用及び空間自由度が増加されることができる照明装置が要求されている。
【発明の概要】
【発明が解決しようとする課題】
【０００５】
本発明の実施例は、使用空間に対する自由度が高い照明モジュールを提供する。本実施例がなそうとする技術的課題は、以上で言及した技術的課題に制限されないし、言及されなかったまた他の技術的課題は下の記載から本実施例が属する技術分野で通常の知識を有した者に明確に理解されることができるであろう。
【課題を解決するための手段】
【０００６】
本発明による一実施例で、メインベース部、該メインベース部の両側で前記メインベース部の面に対して垂直方向に延長された第１及び第２延長部、前記第１及び第２延長部に前記メインベース部の中心方向にそれぞれ延長された第１及び第２補助ベース部を含むケースと、前記メインベース部、第１及び第２延長部及び第１及び第２補助ベース部がお互いに構造的に連結されて形成されたガイド溝に安着された基板と、該基板の長さ方向に前記基板の一面に配置された複数の発光素子と、前記基板の他面に配置された駆動ドライバーを含み、前記駆動ドライバーが前記第１及び第２延長部に挿入されるように前記第１及び第２延長部のうちで少なくとも一つは開口部を有する。
【０００７】
開口部に挿入された駆動ドライバーは、前記ケース外側に露出して、前記開口部の外周と間隔を置いて設置されることができる。
【０００８】
駆動ドライバーと前記開口部との外周間の間隔は最小２ｍｍ以上である。
【０００９】
基板は単一基板であり、前記複数の発光素子は、前記単一基板の一面に電気的に分離して配置された第１発光素子グループと第２発光素子グループを含むことができるし、前記駆動ドライバーは前記第１発光素子グループと前記第２発光素子グループを分離駆動するための第１駆動ドライバー及び第２駆動ドライバーを含むことができる。
【００１０】
照明モジュールは、両末端が前記ガイド溝に挿入されて、前記光源部と光学的に結合される導光板をさらに含み、前記第１及び第２補助ベース部は前記導光板を支持する突出部を有することができる。
【００１１】
導光板の長さ方向に垂直な前記導光板の側端部の面は溝を有して、前記第１及び第２補助ベース部の突出部は前記溝に連結されることができる。
【００１２】
メインベース部は板形状を有して、中央部が陥没された陥没部と該陥没部の周辺に前記陥没部より高い縁部を有することができる。
【００１３】
メインベース部は、前記縁部前、後側で前記縁部の一面に対して垂直方向に延長されたフランジを含むことができる。
【００１４】
第１及び第２補助ベース部は、前記第１及び第２延長部の一面に対してそれぞれ鋭角を有して、前記第１及び第２延長部に延長されることができる。
【００１５】
ケースの内側に前記メインベース部と接する支持板をさらに含むことができる。
【００１６】
支持板は、前記メインベース部の陥没部と接するベース部、該ベース部の縁部と接する第３及び第４部材、前記ベース部の両末端と前記第３及び第４部材をそれぞれ連結する第１及び第２部材を含み、前記第１及び第２部材の末端部は開口部を有することができる。
【００１７】
導光板は、該導光板に入射された光の経路を変換するか、または屈折させるレンズアレイが少なくとも一部に配置されることができる。
【００１８】
レンズアレイは、所定のパターンを有する複数のレンズを含むことができる。複数のレンズの高さは非均一であることがある。
【００１９】
レンズアレイのうちで一部領域のレンズ高さは、およそ０．１５〜０．３０ｍｍ範囲内であり、他の領域のレンズの高さ(sag)はおよそ０．４０〜０．５５ｍｍ範囲内である。
【００２０】
照明モジュールは、末端が前記ガイド溝に挿入されて、前記導光板の上部に配置される反射板をさらに含み、前記反射板の両末端で折曲されて垂直方向に延長される屈曲部を有することができる。
【００２１】
反射板の材質はフレキシブルであることができる。
【００２２】
本発明の一実施例による照明モジュールは、メインベース部、該メインベース部の両側で前記メインベース部の面に対して垂直方向に延長された第１及び第２延長部、前記第１及び第２延長部に前記メインベース部の中心方向に延長された第１及び第２補助ベース部を含む第１ケースと前記第１ケースの内側に配置された光源部を含む第１照明モジュールと、複数の発光素子が配置された基板を含む光源部と前記光源部が配置される第２ケースを含む第２照明モジュールと、及び前記第１照明モジュール及び第２照明モジュールをお互いに連結させる連結部材と、を含む。
【００２３】
連結部材はベース部と前記第１、２照明モジュールと機械的に結合されるために前記ベース部から延長された延長部と該延長部の末端と連結されるフック部を含むことができる。
【００２４】
第１ケース及び第２ケースは、複数の開口部を有して、前記連結部材はベース部と該ベース部に前記第１ケース及び第２ケースの開口部と対応する複数の接続溝を含むことができる。
【発明の効果】
【００２５】
実施例は、単一照明モジュールそれ自体で、照明装置に具現されることができる。
【００２６】
また、実施例は、構造的に安定した支持構造を有することができる。
【００２７】
また、実施例は、部品設置による空間制約性を克服することができるし、製造費を節減することができる。
【００２８】
また、実施例は、体積のスリム化を具現して設置空間の制約性を克服することができる。
【００２９】
また、実施例は、単一照明モジュールが複数個に組み立てられることにおいて、安定的な構造で連結されて使用自由度を向上させることができる。
【００３０】
また、実施例は分離駆動をすることができる。
【図面の簡単な説明】
【００３１】
【図１】本発明の実施例による照明モジュールの構造を説明するための斜視図である。
【図２】本発明の実施例による照明モジュールの構造を説明するための分解斜視図である。
【図３】本発明の実施例で、ケース構造を詳しく説明するための斜視図である。
【図４】本発明の実施例で、ケースの構造を詳しく説明するための断面図である。
【図５】本発明の実施例で、支持板の構造を詳しく説明するための斜視図である。
【図６】本発明の実施例で、光源部の構造をさらに詳しく説明するための斜視図である。
【図７】本発明の実施例で、光源モジュールの構造を説明するための図である。
【図８】本発明の実施例で、ケースと光源部の結合構造を説明するための図である。
【図９】本発明の実施例で、ケース内部に配置される光源モジュールの構造及び動作原理を説明するための図である。
【図１０Ａ】本発明による一実施例で、複数の照明モジュールを結合するための連結部材を説明するための図である。
【図１０Ｂ】本発明による一実施例で、複数の照明モジュールを結合するための連結部材を説明するための図である。
【図１０Ｃ】本発明による一実施例で、複数の照明モジュールを結合するための連結部材を説明するための図である。
【図１１】本発明による一実施例で、複数の照明モジュールの結合構造を説明するための図である。
【図１２Ａ】本発明による一実施例で、複数の照明モジュールの結合方式を説明するための図である。
【図１２Ｂ】本発明による一実施例で、複数の照明モジュールの結合方式を説明するための図である。
【図１２Ｃ】本発明による一実施例で、複数の照明モジュールの結合方式を説明するための図である。
【図１２Ｄ】本発明による一実施例で、複数の照明モジュールの結合方式を説明するための図である。
【図１３】本発明の実施例で、光源部の他の構造を説明するための図である。
【図１４】本発明の実施例で、光源部のまた他の構造を説明するための図である。
【図１５】本発明の実施例で、光源部の構造による動作方法を説明するための図である。
【図１６】本発明の実施例で、複数の照明モジュールの動作方法を説明するための図である。
【図１７】本発明の一実施例で、他のケースの構造を示した斜視図である。
【図１８Ａ】本発明の一実施例によって複数の照明モジュールを結合するための連結部材の構成を示す図である。
【図１８Ｂ】本発明の一実施例によって複数の照明モジュールを結合するための連結部材の構成を示す図である。
【図１９】本発明による複数の照明モジュールの結合構造を説明するための図である。
【図２０】本発明の一実施例で、また他のケースの構造を示した斜視図である。
【図２１Ａ】本発明の一実施例によって複数の照明モジュールを結合するための連結部材の構成を示す図である。
【図２１Ｂ】本発明の一実施例によって複数の照明モジュールを結合するための連結部材の構成を示す図である。
【図２２Ａ】本発明による複数の照明モジュールの結合構造を説明するための図面である。
【図２２Ｂ】本発明による複数の照明モジュールの結合構造を説明するための図面である。
【図２３Ａ】本発明の実施例によって複数の照明モジュールが結合される場合の一例を示す図面である。
【図２３Ｂ】本発明の実施例によって複数の照明モジュールが結合される場合の一例を示す図面である。
【図２３Ｃ】本発明の実施例によって複数の照明モジュールが結合される場合の一例を示す図面である。
【図２３Ｄ】本発明の実施例によって複数の照明モジュールが結合される場合の一例を示す図面である。
【図２３Ｅ】本発明の実施例によって複数の照明モジュールが結合される場合の一例を示す図面である。
【発明を実施するための形態】
【００３２】
図１は、本発明の実施例による照明モジュールの構造を説明するための斜視図であり、図２は本発明の実施例による照明モジュールの構造を説明するための分解斜視図であり、図３は本発明の実施例であり、ケース構造を詳しく説明するための斜視図であり、図４は本発明の実施例であり、ケースの構造を詳しく説明するための断面図であり、図５は本発明の実施例であり、支持板の構造を詳しく説明するための斜視図であり、図６は本発明の実施例であり、光源部の構造をさらに詳しく説明するための斜視図である。
【００３３】
図１〜図６を参照すると、照明モジュール４００は、ケース２００、支持板１２０、第１光源部１５０ａ、第２光源部１５０ｂ、第１光励起フィルム１７０ａ、第２光励起フィルム１７０ｂ、導光板１１０、拡散板１９０、反射板１３０、第１コネクター３００ａ及び第２コネクター３００ｂを含む。
【００３４】
<ケース>
ケース２００は、複数のフランジによって組み立てされてなされることができるが、一つの板形態で圧出成形されることが望ましい。前記ケース２００はメインベース部２１０、第１及び第２延長部２３０ａ、２３０ｂと、第１及び第２補助ベース部２５０ａ、２５０ｂを含む。
【００３５】
メインベース部２１０は、直四角板形状であり、前記板の末端から一定間隔を置いて前記板の縁に沿って折曲されて、中央に陥没部２１１と周辺に縁部２１３を有する。
【００３６】
陥没部２１１は、ケース内部に配置される反射板１３０、導光板１１０及び拡散板１９０のお互いの間に密着させて動きを防止することができる。また、縁のうちで特に、メインベース部の前後側の縁部は、駆動ドライバーと入力端子間の電気的な連結媒体であるフレキシブル印刷回路(図示せず)の連結通路を最短距離で形成することができて、製造費の減少だけではなく、フレキシブル印刷回路の長さによる電圧減少現象を防止することができる。
【００３７】
縁部２１３のうちで前記第１及び第２延長部２３０ａ、２３０ｂと連結される左、右側縁部を除いた前、後側縁部は中央にそれぞれ第１及び第２上部開口部２１３ａ、２１３ｂを有する。
【００３８】
第１及び第２上部開口部２１３ａ、２１３ｂには駆動ドライバー１５３ａ、１５３ｂに電力供給のための入力端子３１０ａ、３１０Ｂが配置されて、前記入力端子上部３１０ａ、３１０Ｂに第１及び第２コネクター３００ａ、３００ｂが前記第１及び第２上部開口部２１３ａ、２１３ｂにそれぞれ配置されて、前記ケース２００の外部に露出する。
【００３９】
また、メインベース部２１０は前記の前、後側縁部でそれぞれ延長されたフランジ２１５を有して、前記フランジ２１５は前記メインベース部の面に対して実質的に垂直方向に曲がる。このようなフランジ２１５は、ケース内に挿入される構造物、例えば、拡散板、導光板、反射板などがメインベース部の前、後側方向に離脱されることを防止することができる。
【００４０】
第１及び第２延長部２３０ａ、２３０ｂは、前記メインベース部２１０の縁部でそれぞれ延長されて、前記メインベース部２１０の面に対して実質的に垂直方向に曲がる。また、第１及び第２延長部２３０ａ、２３０ｂは、それぞれ末端部に第１及び第２側部開口部２３０ａ’、２３０ｂ’を有する。
【００４１】
また、第１及び第２延長部２３０ａ、２３０ｂは、それぞれ外側面に突出されたガイド部２３０ａ”、２３０ｂ”を有する。ガイド部２３０ａ”、２３０ｂ”は、前記第１及び第２側部開口部２３０ａ’、２３０ｂ’に接して配置される。ガイド部の表面形状は多様な形状を有することができるが、望ましくは後述する連結部材６００の延長部６３０と機械的に安定するように固定されることができるように一側が傾きを有する三角形状を有する。
【００４２】
このようなガイド部２３０ａ”、２３０ｂ”は、後述する連結部材の延長部が安着されて、前記連結部材の延長部を固定及び支持する。
【００４３】
第１及び第２補助ベース部２５０ａ、２５０ｂは、前記第１及び第２延長部２３０ａ、２３０ｂでそれぞれ前記メインベース部２１０の中心方向にそれぞれ延長されて、前記メインベース部の面に対して実質的に平行に延長される。
【００４４】
これによってケース２００の両内側部は、第１及び第２ガイド溝２０２ａ、２０２ｂが形成されて、前記第１及び第２補助ベース部２５０ａ、２５０ｂは、お互いに間隔を置いて向かい合うようになる。
【００４５】
一方、前記ケース２００の第１及び第２補助ベース部２５０ａ、２５０ｂは、前記メインベース部２１０と平行な方向に第１及び第２延長部２３０ａ、２３０ｂそれぞれに対して延長されて曲がるが、望ましくは、第１及び第２延長部２３０ａ、２３０ｂそれぞれに対して鋭角(図４参照；α＜９０゜)で傾く。したがって、第１ガイド溝２０２ａと第２ガイド溝２０２ｂに挿入される構造物、例えば、拡散板、導光板、反射板などをさらに固定支持させることができるようになる。
【００４６】
また、第１及び第２補助ベース部２５０ａ、２５０ｂは、それぞれ延長された長さ方向と垂直方向の末端に延長された突出部２５０ａ’、２５０ｂ’を有する。このような突出部２５０ａ’、２５０ｂ’は前記ケース内に構造物が挿入された後、前記第１及び第２補助ベース部２５０ａ、２５０ｂの面に対して垂直方向にベンディングされて（曲げられて）各構造物が離脱されることができないように支持する。このようなケース２００は、前記ケースの長さ方向に両側部が平行に延長される。
【００４７】
前記ケース２００の材質は、例えば、アルミニウムと鉄のような金属なら可能であり、ケースが弾性力を有することができればさらに望ましい。
【００４８】
<支持板>
支持板１２０は、ベース部１２１と第１及び第２部材１２３ａ、１２３ｂ及び第３及び第４部材１２５ａ、１２５ｂを含み、このような支持板１２０は前記ケース２００内側に配置されて前記ケースと接する。
【００４９】
ベース部１２１は直四角板形状を有する。
【００５０】
第１及び第２部材１２３ａ、１２３ｂは、前記ベース部１２１の両末端で前記ベース部１２１の面に対して実質的にそれぞれ垂直方向に延長されて、前記第１及び第２部材１２３ａ、１２３ｂのそれぞれの末端部は開口部１２３ａ’、１２３ｂ’を有する。
【００５１】
第３及び第４部材１２５ａ、１２５ｂは、それぞれ前記第１及び第２部材１２３ａ、１２３ｂの末端で前記第１及び第２部材１２３ａ、１２３ｂの各面に対して実質的に垂直方向に延長されて形成される。例えば、ベース部とそれぞれ平行な面を有するように形成されることができる。但し、第３及び第４部材１２５ａ、１２５ｂが前記第１及び第２部材１２３ａ、１２３ｂの面に対して延長される時、延長方向は前記ベース部１２１の左、右外側方向である。
【００５２】
このような構造を有する支持板１２０の材質は、前記ケースと同一のアルミニウムと鉄のような金属なら可能であり、弾性力を有することができる。
【００５３】
支持板１２０のベース部１２１は、前記ケース２００のメインベース部２１０の陥没部２１１と接して、第３及び第４部材１２５ａ、１２５ｂは前記メインベース部２１０の縁部２１３と接する。前記支持板１２０は前記ケース２００のメインベース部２１０の下側内部に配置される。
【００５４】
したがって、ケースが内部に配置される構造物、例えば、反射板、導光板、拡散板のような構造物を抱えて、この時、支持板１２０は前記構造物をケースの補助ベース２５０ａ、２５０ｂに押すことで、補助ベースと前記構造物との間の密着力を高めてより安定的な支持構造を有することができる。
【００５５】
前記支持板１２０のベース部１２１の前、後側上面には第１及び第２入力端子３１０ａ、３１０Ｂがそれぞれ配置されて、前記第１及び第２入力端子３１０ａ、３１０Ｂは、前記ケース２００の第１及び第２上部開口部２１３ａ、２１３ｂにそれぞれ対応されて、前記ケース２００の外部に露出する。このような第１及び第２入力端子３１０ａ、３１０Ｂは、それぞれ第１コネクター３００ａ及び第２コネクター３００ｂに電気的に連結されて電源が供給される。
一方、第１及び第２入力端子３１０ａ、３１０Ｂは、フレキシブル印刷回路(ＦＰＣ:Flexible Printed Circuit(図示せず))を通じて第１及び第２光源部の駆動ドライバー１５３ａ、１５３ｂとそれぞれ電気的に連結される。このようなフレキシブル印刷回路は、支持板１２０の第１及び第２部材１２３ａ、１２３ｂに形成された開口部１２３ａ’、１２３ｂ’を貫通して、前記駆動ドライバー１５３ａと最短距離で電気的に連結される。
【００５６】
<光源モジュール−反射板、導光板、光源部、拡散板、光励起フィルム>
<反射板>
反射板１３０は、支持板１２０と対応する直四角板形状を有するボディー部１３１と、前記ボディー部１３１の両末端部で延長された屈曲部１３２と、を含む。
【００５７】
屈曲部１３２は、反射板１３０の長さ方向で折り曲げられている。反射板１３０は、表面全体が反射物質でコーティングされることができるし、ボディー部１３１だけ反射物質でコーティングされることができる。また、反射板１３０の材質は金属だけではなく、フレキシブルであるプラスチック材質で形成することができる。
【００５８】
反射板１３０は、支持板１２０の下側に配置されて、反射板１３０の屈曲部１３２が光源部１５０で発光素子が配置されない他面に接して導光板１１０、光源部１５０、拡散板１９０、光励起フィルム１７０全体を囲む。これによって照明モジュールの部品を組立てる時、部品間のアラインメント不一致、あるいは特定部品の離脱を防止することができる。
【００５９】
また、反射板の屈曲部は前記照明モジュール動作時に光源部１５０ａ、１５０ｂで発生される熱を、ケースを通じて放出する時、図７で見るところのように、中間媒介体になることで、熱伝達効果を向上させるために放熱物質を含むことが望ましい。
【００６０】
このような反射板１３０は、前記光源部１５０から放出された光が導光板１１０を通じて外部に放出される時、導光板の後方に出射されることを防止する。
【００６１】
一方、反射板１３０の両側端には垂直で曲がる屈曲部(図示せず)がさらに形成されることができる。屈曲部は光源部１５０で発光素子が配置されない他面に接して導光板１１０、光源部１５０、光励起フィルム１７０全体を囲むことができるし、これによって照明モジュールの部品を組立てる時、部品間のアラインメント不一致、あるいは特定部品の離脱をさらに防止することができる。また、このような屈曲部は、照明モジュール動作時に光源部１５０ａ、１５０ｂから発生される熱を、ケース２００を通じて放出する時、中間媒介体として機能して熱伝達効果を向上させるために放熱物質を含むこともできる。
【００６２】
<光源部>
光源部１５０は、第１光源部１５０ａと第２光源部１５０ｂを含むことができるが、何れか一つの光源部のみを有することができる。
【００６３】
第１光源部１５０ａ及び第２光源部１５０ｂは、それぞれ基板１５１ａ、１５１ｂ、発光素子１５２ａ、１５２ｂ及び駆動ドライバー１５３ａ、１５３ｂを含む。
【００６４】
基板１５１ａ、１５１ｂは、長方形の形状の印刷回路基板である。
【００６５】
発光素子１５２ａ、１５２ｂは、複数個をなして、基板１５１ａ、１５１ｂの一面に前記基板の長さ方向に配置される。前記第１光源部１５０ａ及び第２光源部１５０ｂに含まれた発光素子は、同一色を有する光を放出する発光ダイオードであるが、異なる色を有する光を放出することができる。したがって、二つの異なる色の組合せで多様な色の光が可能であることで、感性照明装置を具現することができる。発光ダイオード１５２ａ、１５２ｂは、青色、赤色、緑色光のうちで少なくとも一つを放出する発光ダイオードであることがある。
【００６６】
図面に示されていないが、発光ダイオードは、上部に透明樹脂が前記発光ダイオードを密封するようにして、それ自体の独自色を有する光を放出することができるが、独自色を放出する時、例えば、青色光を放出する発光ダイオードである場合、上部に黄色系列の蛍光体を含む樹脂が青色発光ダイオードを密封して、白色光を放出することができる。
【００６７】
本実施例では光源で発光ダイオードを例にしたが、これに限定しないで、光を放出することができる発光素子ならいずれであっても可能である。
【００６８】
駆動ドライバー１５３ａ、１５３ｂは、発光素子が配置されない前記基板の他面に配置されて、望ましくは、基板の他面で末端部に配置される。
【００６９】
第１光源部１５０ａと第２光源部１５０ｂは、それぞれ前記基板の一面に配置された発光素子１５２ａ、１５２ｂと前記基板の他面に配置された駆動ドライバー１５３ａ、１５３ｂを含み、前記発光素子が配置された基板の一面がお互いに向かい合うように前記ケース２００の第１及び第２ガイド溝２０２ａ、２０２ｂに挿入されて配置される。すなわち、発光素子が配置されない基板の他面は前記ケースの第１及び第２延長部の面に平行に配置される。
【００７０】
図面には示されていないが、前記第１光源部１５０ａ及び第２光源部１５０ｂと前記ケースの第１及び第２延長部２３０ａ、２３０ｂとの間に放熱パッドが配置されることができる。このような放熱パッドは、光源部で発生された熱を、伝導を通じてケースに伝達して、このような熱は外部に放出されて放熱特性を向上させることができる。
【００７１】
一方、駆動ドライバー１５３ａ、１５３ｂは図８に示すように、前記ケースの延長部の第１及び第２側部開口部２３０ａ’、２３０ｂ’に挿入されて、ケース外側に露出する。よって、駆動ドライバーの誤作動時にチェックが容易で、照明モジュールの特性上制限された空間での部品の空間的位置確保の難しさを克服することができる。
【００７２】
また、前記駆動ドライバー１５３ａ、１５３ｂが前記延長部の第１及び第２側部開口部２３０ａ’、２３０ｂ’にそれぞれ挿入されて配置される時、駆動ドライバー１５３ａ、１５３ｂと第１及び第２側部開口部２３０ａ’、２３０ｂ’の外周と間隔(ｄ)を置いて配置されることが望ましい。これは照明モジュール動作時に前記駆動ドライバーの耐電圧特性を確保するためであるが、少なくとも駆動ドライバーと第１及び第２側部開口部２３０ａ’、２３０ｂ’の外周間の間隔(ｄ)が最小２ｍｍ以上になる時、安定的な耐電圧特性を有するようになる。
【００７３】
また、図面には示されていないが、第１及び第２側部開口部２３０ａ’、２３０ｂ’の周辺の区画部には、前記駆動ドライバー１５３ａ、１５３ｂを保護するために接着性保護フィルムが付着される。接着性保護フィルムは、外部の異物が駆動ドライバーに浸透されることを放置することができる。このような接着性保護フィルムは前記接着性保護フィルムを通じて駆動ドライバーが見られる透明な材質が望ましい。
【００７４】
<導光板>
導光板１１０は反射板１３０の形状と同じく直四角板形状を有する。
【００７５】
導光板１１０の長さ方向に垂直方向の側端部の面は、溝１１２を有する。溝１１２は側端部の両側にそれぞれ形成されて、このような導光板１１０の溝１１２には前記ケース２００の第１及び第２補助ベース部２５０ａ、２５０ｂの各突出部２５０ａ’、２５０ｂ’が折り曲げられて安着される。これによってケース２００内での導光板１１０は、安定的に支持されて離脱されなくなる。
【００７６】
導光板１１０は、点光源を面光源に変換させることで、内部に入射された光が外部に出射されることができるように一面に特定パターン１１１が形成される。特定パターン１１１は光を拡散または散乱させて外部に出射させる役割をする。このような導光板１１０は透明樹脂で製造されて、シルクスクリーン印刷方式などで印刷することができる。
【００７７】
導光板１１０は、第１光源部１５０ａ及び第２光源部１５０ｂから放出される光経路方向に配置されて、前記ケース２００の長さ方向に前記ケースの内部に挿入される。この時、導光板１１０の両末端部は前記ケースの第１及び第２ガイド溝２０２ａ、２０２ｂに挿入される。
【００７８】
本発明の実施例による導光板１１０は、内部に入射された光が外部に出射されることができるように下面の少なくとも一部分に特定パターン１１１を有する。特定パターン１１１は導光板１１０の下面全領域に亘って形成されることもできるが、導光板１１０下面の一部、例えば、図面に示されるところのように導光板１１０下面の両側端、すなわち、ケース２００の補助ベース部２５０ａ、２５０ｂと触れる側と近い領域のみに形成されることもできる。このような特定パターン１１１は、光を拡散または散乱させて外部に出射させる役割をする。本発明の実施例による導光板１１０の特定パターン１１１は光を拡散または散乱させるための従来の拡散シートを取り替えて構成を簡素化させることができる。
【００７９】
また、本発明の実施例による導光板１１０の上面にはマイクロレンズアレイ(ＭＬＡ：Micro Lens Array)層１１３が形成される。すなわち、導光板１１０とマイクロレンズアレイ層１１３が一体型に形成される。光源部から出射されて導光板１１０に入射された光は、図面上で下部方向に放出されなければならない。マイクロレンズアレイ層１１３は光源部から出射されて導光板１１０に入射された光のうちで導光板１１０の上部に向ける光の経路を変えるか、または屈折させる。例えば、光を集めるか、または拡散させるか、または散乱させて反射板１３０に反射されて、再び導光板１１０を経って下部方向に出射されることができるようにして輝度の均一性を向上させる。このようなマイクロレンズアレイ層１１３は、均一なパターンを有することもできるが、お互いに異なるパターンが組み合わされた形態で形成されることもできる。例えば、全体が凸型レンズまたは凹型レンズパターンに形成されることもできるが、凸型レンズと凹型レンズパターンが組み合わされた形態であることもある。レンズパターン間の均一性も全領域で均一であることがあるが、これも均一でないこともある。すなわち、レンズパターンの高さ(sag)が全領域で均一であることもあるが、そうではないこともある。例えば、一部領域に形成されたレンズ高さ(sag)は、およそ０．２３ｍｍであり、また他の一部領域に形成されたレンズの高さ(sag)はおよそ０．４７ｍｍであることがある。それだけでなくマイクロレンズアレイの一部レンズ高さは、０．１５〜０．３０ｍｍ、０．４０〜０．５５ｍｍ範囲内で形成されることもできる。さらに限定しようとすると、０．１７ｍｍ〜０．２８ｍｍ、０．４２〜０．５３ｍｍの範囲の高さで一部が形成されることができる。マイクロレンズアレイ層１１３は、通常的なレンズの材質、例えば、各種合成樹脂材でなされることができる。
【００８０】
<光励起フィルム>
光励起フィルム１７０は、第１光励起フィルム１７０ａ、第２光励起フィルム１７０ｂを含むことができるし、それぞれは導光板１１０側面と第１光源部１５０ａ及び第２光源部１５０ｂとの間にそれぞれ配置されて、内部に多くの蛍光物質を含む。このような第１光励起フィルム１７０ａ、第２光励起フィルム１７０ｂは、第１光源部１５０ａ及び第２光源部１５０ｂで出射された光の波長一部を変換させて光の色を変換させることができる。
【００８１】
図面には示されていないが、第１光励起フィルム１７０ａ、第２光励起フィルム１７０ｂは、透明樹脂と該透明樹脂内部に含有された蛍光物質１７２を含む。透明樹脂内部には硬化剤や添加剤が含まれることができるし、硬化剤は透明樹脂を硬化させて、添加剤は蛍光物質が透明樹脂内部で均一に分散させる。また、透明樹脂内部には拡散材が含まれることができるし、拡散材は光源の屈折を向上させて蛍光物質の励起率を高める。
【００８２】
<拡散板>
拡散板１９０は、導光板１１０から出射される光を拡散させて放出させるためにケース２００内に挿入されて、導光板１１０下部に配置される。この時、拡散板１９０の両末端部は前記ケースの第１及び第２ガイド溝２０２ａ、２０２ｂに挿入される。
【００８３】
上のように、本発明の実施例による照明モジュールは、光を放出することにおいて、一つの単一モジュールでなされるために、それ自体で照明装置として利用されることができる。
【００８４】
前で上述した本発明の実施例で説明の便宜のために第１光源部１５０ａ、第２光源部１５０ｂ、第１光励起フィルム１７０ａ、第２光励起フィルム１７０ｂ、導光板１１０、拡散板１９０、反射板１３０を含む装置を光源モジュールと称する。
【００８５】
図９は、本発明の実施例で、ケース内部に配置される光源モジュールの構造及び動作原理を説明するための図である。
【００８６】
説明の便宜のために、光源モジュール１００は導光板１１０、反射板１３０、第１光源部１５０ａ、第１光励起フィルム１７０ａ及び拡散板１９０を含む実施例を示すようにする。
【００８７】
導光板１１０は、点光源を面光源に変換させることで、内部に入射された光が外部に出射されることができるように一面に特定パターン１１１が形成される。特定パターン１１１は、光を拡散または散乱させて外部に出射させる役割をする。このような導光板１１０は透明樹脂で製造されて、シルクスクリーン印刷方式などで印刷することができる。
【００８８】
導光板１１０の上側には拡散板１９０が配置されることができる。拡散板１９０は導光板１１０の内部に入射された光が外部に均一に出射されるようにする役割をする。
【００８９】
反射板１３０は、導光板１１０の下側に配置されて、導光板１１０の内部に入射された光が導光板の後方に出射されることを防止する。
【００９０】
第１光源部１５０ａは、導光板１１０の側部に配置されて、第１光源部１５０ａは光を出射することができる装置ならすべて可能であり、本発明の実施例では発光ダイオードである発光素子１５２ａを使用する。このような第１光源部１５０ａは基板１５１ａ上に配列された複数の発光ダイオード１５２ａ、１５２ｂを含み、導光板１１０と光学的に結合されて第１光源部１５０ａから発生された光が導光板１１０内部に入射される。
【００９１】
第１光励起フィルム１７０ａは、導光板１１０と第１光源部１５０ａとの間に配置されて、内部に多くの蛍光物質を含む。このような第１光励起フィルム１７０ａは第１光源部１５０ａから出射された光の波長一部を変換させて光の色を変換する。
【００９２】
図１０Ａ〜図１０Ｃは、本発明による一実施例で、複数の照明モジュールを結合するための連結部材を説明するための図であり、図１１は本発明による一実施例で、複数の照明モジュールの結合構造を説明するための図である。
【００９３】
先ず、図１０Ａ〜図１０Ｃで見るところのように、連結部材６００はベース部６１０、延長部６３０、フック部６５０を含む。
【００９４】
ベース部６１０は、底面が平たい板形状を有して、表面は両側端方向に行くほど傾斜しているドーム形状を有する。ベース部６１０の底面上には二つの連結端子６１１が配置されて、二つの連結端子６１１は前記ベース部の内部でワイヤを通じて電気的に連結される。また、ベース部の底面に配置された連結端子６１１は図１１で見るところのように、前記ケースのメインベース部の縁部に設置されたコネクターと電気的に連結される。
【００９５】
延長部６３０は、前記ベース部の両末端で垂直方向に延長される。延長部６３０は中央の一部が開口されることができる。このような延長部６３０は、一側端に対して傾斜している他端を有する。このような理由は傾斜している他端は、前記ケースの第１及び第２延長部のガイド部２３０ａ”、２３０ｂ”と相対的に変位せずにお互いに機械的固定されるようにするためである。
【００９６】
また、延長部６３０の内側にはスタイロフォームのような衝撃防止板６３１が設置されて、連結部材６００と照明モジュール４００との間に結合時、結合時の衝撃による連結部材が割れることを防止することができるし、連結部材による照明モジュール間の結合後、外部衝撃を受ける時、脆弱性が高くて延長部の衝撃を最大限防止するようにするためである。
【００９７】
フック部６５０は、前記延長部６３０の末端で延長されて、前記ベースの中心方向に傾斜している一側端を有する。前記フック部６５０は照明モジュールと結合時に前記ケースの補助ベースの底面にかかって締結される。この時、フック部６５０は実質的に前記連結部材の延長部６３０の弾性を利用して照明モジュールと結合される。
【００９８】
図１２Ａ〜１２Ｄは、本発明による一実施例であり、複数の照明モジュールの結合方式を説明するための図である。
【００９９】
先ず、図１２Ａに示すように、二つの照明モジュール４００が同一線上に整列されて、図１２Ｂに示すように、整列された二つの照明モジュール４００は、お互いに末端どうしに接するように配置する。以後、図１２Ｃのように、お互いに接触された前記照明モジュールのケースの縁部を囲むように前記縁上部で前記連結部材６００を減圧して結合させるようにする。この時、連結部材６００のベース部に設置された連結端子６１１が前記ケース２００の縁部に配置されたコネクター３００ａ、３００ｂと電気的に連結されるようにして、また、連結部材６００の延長部６３０の一端が前記ケースの外側に突出されたガイド部２３０ａ”、２３０ｂ”の一端にかかって固定されるように減圧する。これによって図１２Ｄのように、二つの照明モジュールは電気及び機械的にお互いに結合されて、拡張された一つの照明装置を具現するようになる。
【０１００】
本実施例では二つの照明モジュールの結合構造のみに対して説明したが、三つ以上の照明モジュールが結合する時も同一の方法で照明モジュール間の器具及び電気的に連結する。
【０１０１】
上のような照明装置は、照明モジュール間に結合時、照明モジュールの重さによって連結支持力が劣ることを償うことができるし、照明モジュールを囲む方式で照明モジュールらをお互いに結合することで、照明装置のスリム化を具現することができる。これによって照明装置設置時に照明装置の体積による空間の制約性を充分に克服することができる。
【０１０２】
図１３は、本発明の実施例で、光源部の他の構造を説明するための図であり、図１４は、本発明の実施例で、光源部のまた他の構造を説明するための図であり、図１５は、本発明の実施例で、光源部の構造による動作方法を説明するための図である。
【０１０３】
先ず、図１３を参考すると、光源部１５０はそれぞれ単一基板１５１ａと第１発光素子グループ１５２ａ’と第２発光素子グループ１５２ａ”及び第１駆動ドライバー１５３ａ’と第２駆動ドライバー１５３ａ”を含む。
【０１０４】
第１発光素子グループ１５２ａ’及び第２発光素子グループ１５２ａ”は、それぞれ複数の発光素子１５２ａを含み、基板１５１ａの長さ方向に前記基板１５１ａ上に配置される。この時、基板１５１ａは長方形の印刷回路基板であるが、中央部(Ｃ)は電気的に分離される。これによって第１発光素子グループ１５２ａ’と第２発光素子グループ１５２ａ”は、電気的に分離されるように前記基板上に配置される。
【０１０５】
第１駆動ドライバー１５３ａ’は、前記第１発光素子グループ１５２ａ’を駆動するために第１発光素子グループが配置された基板１５１ａの一面と異なる他面に配置されて、第２駆動ドライバー１５３ａ”も前記第２発光素子グループ１５２ａ”を駆動するために、第２発光素子グループが配置された基板の一面と異なる他面に配置される。
【０１０６】
このような光源部１５０は、それぞれ単一ケース２００の第１及び第２ガイド溝２０２ａ、２０２ｂに安着されて照明モジュールを構成する。
【０１０７】
図１４を参考すると、光源部１５０は実質的に図１３の実施例のような構造を有する。但し、図１４で、基板は電気的だけではなく、物理的に分離して第１基板１５１ａ’と第２基板１５１ａ”を有する。残り、発光素子グループや駆動ドライバーに対しては、図１３の実施例と同一であるので、これに対する説明は略する。
【０１０８】
上のように、光源部が電気的に分離された照明モジュールは、壁や天井のような室内内壁に設置されて動作される時、照明モジュールから発生される光を分離して制御することができるために、必要な空間にだけ光を照らすことができる使用自由度が高い。すなわち、図１５で見るところのように、照明モジュールで第１発光素子グループの領域(Ａ１)と第２発光素子グループの領域(Ａ２)を分けて、第１発光素子グループの領域だけ駆動して、光を照査するか、または図面には示されなかったが、第２発光素子グループの領域だけ駆動して光を照査する分離駆動をすることができる。また、同時に第１及び第２発光素子グループの領域をすべて駆動することができる。
【０１０９】
本実施例で光源部は、一つの光源部だけを例に挙げたが、光源部は第１光源部及び第２光源部を有することができるし、各光源部には一つの光源部を形成する時の構造と同一に形成される。
【０１１０】
図１６は、本発明の実施例で、複数の照明モジュールの動作方法を説明するための図である。
【０１１１】
図１６を説明すると、複数の照明モジュール４００は図１１に示すように、連結部材６００によって機械的及び電気的に結合される。各照明モジュール４００は、前で説明したところのように光源部１５０の電気的分離で分離駆動が可能である。但し、連結部材によって結合された照明モジュールで、連結部材６００の両側に設置された光源部１５０を駆動するための駆動ドライバー１５３ａ’は単一個をなす。すなわち、前記の図１５で言及した複数の駆動ドライバーの代りに一つの駆動ドライバーで二つの照明モジュールに必要な部分(Ｃ’)を駆動する。その他の照明モジュールに対しては以前に既に記述したので、これに対する説明は略する。
【０１１２】
このような照明モジュールは図１５に示すように、領域を分けて分離駆動することができるので、使用自由度が高い。
【０１１３】
図１７は、本発明の一実施例で、他のケースの構造を示した斜視図である。
【０１１４】
図１７に示すところのように、ケース５００は、図３の構造と類似であるので、同一の部分は略して、縁部２１０の前、後側縁部には第１及び第２上部開口部２１３ａ、２１３ｂを間に置いて、第３及び第４上部開口部２１３ｃ、２１３ｄ、第５及び第６上部開口部２１３ｅ、２１３ｆが形成される。第３〜第６上部開口部２１３ｃ、２１３ｄ、２１３ｅ、２１３ｆは、今後に説明する連結部材(図１８Ａ及び図１８Ｂ参照)８００とケース２００との間の結合のための接続手段(図１９参照)７００が挿入されるために形成される。
【０１１５】
第３〜第６上部開口部２１３ｃ、２１３ｄ、２１３ｅ、２１３ｆは、接続手段７００が挿入されることができる挿入口(Ｓ)及び挿入口(Ｓ)を通じて挿入された接続手段７００がスライディング方式で移動して固定されることができるようにするガイド溝(Ｇ)を含んで形成されることができる。
【０１１６】
これは、後述する連結部材８００の接続溝８３０ａ、８３０ｂ、８３０ｃ、８３０ｄ、８３０ｅ、８３０ｆ)と同一の形態で形成されることができる。第１及び第２上部開口部２１３ａ、２１３ｂを通る直線に対して第３上部開口部２１３ｃと第４上部開口部２１３ｄは、対称形態で形成されることもできるが、図面に示されるところのように第３及び第４上部開口部２１３ｃ、２１３ｄのうちで何れか一つがケース５００の末端に相対的に接するように形成されることができる。
【０１１７】
例えば、第４上部開口部２１３ｄが第３上部開口部２１３ｃよりケース５００の前側末端に相対的に近く形成されることができる。第５及び第６上部開口部２１３ｅ、２１３ｆもこれと同一に形成される。望ましくは、第４上部開口部２１３ｄが第３上部開口部２１３ｃよりケース２００の前側末端に相対的に近く形成される場合には、第６上部開口部２１３ｆが第５上部開口部２１３ｅよりケース５００の後側末端に相対的に近く形成される。
【０１１８】
すなわち、ケース５００の中心を通るが、第１及び第２上部開口部２１３ａ、２１３ｂを通る直線と垂直である直線に対して第３及び第４上部開口部２１３ｃ、２１３ｄと第５及び第６上部開口部２１３ｅ、２１３ｆは対称的に形成される。
【０１１９】
ケース５００は、接続手段７００によって連結部材８００と連結されて、このような方法で他の照明モジュールのケース５００とも連結されることができる。
【０１２０】
図１８Ａ及び図１８Ｂは、本発明の一実施例によって複数の照明モジュールを結合するための連結部材８００の構成を示す図面であり、図１９は、本発明による複数の照明モジュールの結合構造を説明するための図面である。
【０１２１】
図１８Ａ〜図１８Ｂに示されるところのように、本発明の連結部材８００は、ベース部８１０、一つ以上の締結溝８２０ａ、８２０ｂ、８２０ｃ、８２０ｄ)、一つ以上の接続溝８３０ａ、８３０ｂ、８３０ｃ、８３０ｄ、８３０ｅ、８３０ｆ、突出部８４０を含んで構成されることができる。突出部８４０は電気的コネクターとして役割をする。
【０１２２】
ベース部８１０は平面図上で、すなわち、照明モジュールに結合された時に円形の形状を示す。縁部分には外方向に傾斜している部分が形成されることができる。ベース部８１０の底面上には二つの連結端子８１１ａ、８１１ｂが形成されることができるが、二つの連結端子８１１ａ、８１１ｂはベース部８１０の内部でワイヤを通じて電気的に連結される。また、連結端子８１１、８１１ｂは図１９で見るところのように、ケース２００のメインベース部２１０の縁部２１３に設置されたコネクター３００ａ、３００ｂと電気的に連結される。
【０１２３】
ベース部８１０には一つ以上の締結溝８２０ａ、８２０ｂ、８２０ｃ、８２０ｄが形成される。図面には第１〜第４締結溝８２０ａ、８２０ｂ、８２０ｃ、８２０ｄが形成される場合が例示されたが、締結溝の数はこれに制限されない。
【０１２４】
図１９を参照すると、第１〜第４締結溝８２０ａ、８２０ｂ、８２０ｃ、８２０ｄは、照明モジュールのケース５００と連結された連結部材８００を他の機構(例えば、照明モジュール支持装置)に固定させるための別途の固定手段が挿入される部分である。例えば、第１〜第４締結溝８２０ａ、８２０ｂ、８２０ｃ、８２０ｄ)にネジ、くぎ、またはボルトなどを挿入して、連結部材８００と照明モジュール支持装置を固定させることができる。第１〜第４締結溝８２０ａ、８２０ｂ、８２０ｃ、８２０ｄは、照明モジュールに結合された時に照明モジュールの中心を通るが、照明モジュールの長さ方向に延長される直線に対して対称的に形成されることができる。
【０１２５】
例えば、図面に示されるところのように、図面上ｘ軸に対して第１及び第２締結溝８２０ａ、８２０ｂと第３及び第４締結溝８２０ｃ、８２０ｄが対称的に形成されることができる。すなわち、ｘ軸を基準に上部には第１及び第２締結溝８２０ａ、８２０ｂが形成されて、下部には第３及び第４締結溝８２０ｃ、８２０ｄが形成されることができる。
【０１２６】
また、ベース部８１０には一つ以上の接続溝８３０ａ、８３０ｂ、８３０ｃ、８３０ｄ、８３０ｅ、８３０ｆが形成されることができる。接続溝８３０ａ、８３０ｂ、８３０ｃ、８３０ｄ、８３０ｅ、８３０ｆはそれぞれ接続手段７００が挿入されることができるように形成される挿入溝(Ｓ)と挿入溝(Ｓ)を通じて挿入された接続手段７００が固定されることができるようにスライディング方式で移動可能にガイドするガイド溝(Ｇ)を含むことができる。
【０１２７】
接続溝８３０ａ、８３０ｂ、８３０ｃ、８３０ｄ、８３０ｅ、８３０ｆは、図面に示されるところのように６個が形成されることもできるが、これとは異なる数で形成されることもできる。６個の接続溝８３０ａ、８３０ｂ、８３０ｃ、８３０ｄ、８３０ｅ、８３０ｆが形成される場合には、ベース部８１０の底面上に形成される二つの連結端子８１１ａ、８１１ｂを通る直線を間に置いて、２個の接続溝８３０ａ、８３０ｂが一側に、他の４個の接続溝８３０ｃ、８３０ｄ、８３０ｅ、８３０ｆが他側に形成されることができる。接続溝８３０ａ、８３０ｂ、８３０ｃ、８３０ｄ、８３０ｅ、８３０ｆは、図面に示されるところのようにベース部８１０の底面からベース部８１０の一部を貫通する形態で形成されることもできるが、ベース部８１０を完全に貫通する形態で形成されることもできる。
【０１２８】
連結部材８００がケース５００との結合のためにケース５００上部に置かれると、連結部材８００の接続溝８３０ａ、８３０ｂ、８３０ｃ、８３０ｄ、８３０ｅ、８３０ｆとケース５００の第３〜第６上部開口部２１３ｃ、２１３ｄ、２１３ｅ、２１３ｆが対応するように位置することができる。
【０１２９】
接続溝８３０ａ、８３０ｂ、８３０ｃ、８３０ｄ、８３０ｅ、８３０ｆは、６個が形成されることができるが、そのうち４個が第３〜第６上部開口部２１３ｃ、２１３ｄ、２１３ｅ、２１３ｆと対応することができる。
【０１３０】
前述したように、第３上部開口部２１３ｃと第４上部開口部２１３ｄは、第１上部開口部２１３ａと第２上部開口部２１３ｂを通る直線に対して非対称的に形成されることができるが、第３上部開口部２１３ｃは６個の接続溝８３０ａ、８３０ｂ、８３０ｃ、８３０ｄ、８３０ｅ、８３０ｆのうちで第２接続溝８３０ｂと対応されて、第３上部開口部２１３ｃに比べてケース５００の末端に近く形成される第４上部開口部２１３ｄは、第５接続溝８３０ｅと対応することができる。
【０１３１】
このような方式で他の照明モジュールの第５上部開口部２１３ｅと第６上部開口部２１３ｆは、６個の接続溝８３０ａ、８３０ｂ、８３０ｃ、８３０ｄ、８３０ｅ、８３０ｆのうちで第１接続溝８３０ａ及び第４接続溝８３０ｄにそれぞれ対応することができる。
【０１３２】
これは、第３及び第４上部開口部２１３ｃ、２１３ｄと第５及び第６上部開口部２１３ｅ、２１３ｆがケース５００の中心を通るが、ケース５００の長さ方向と垂直な直線に対して対称的に形成されるためである。
【０１３３】
すなわち、図１９で第４上部開口部２１３ｄと第６上部開口部２１３ｆがケース５００の末端に相対的に近く形成されて、第３上部開口部２１３ｃと第５上部開口部２１３ｅがケース５００の末端から相対的に遠く形成されるためである。
【０１３４】
連結部材８００の接続溝８３０ａ、８３０ｂ、８３０ｃ、８３０ｄ、８３０ｅ、８３０ｆのうちで一部(例えば、４個)がケース５００の第３〜第６上部開口部２１３ｃ、２１３ｄ、２１３ｅ、２１３ｆと対応するように置かれると、接続溝８３０ａ、８３０ｂ、８３０ｃ、８３０ｄ、８３０ｅ、８３０ｆと第３〜第６上部開口部２１３ｃ、２１３ｄ、２１３ｅ、２１３ｆの挿入溝(Ｓ)に接続手段７００を挿入した後、ガイド溝(Ｇ)を通じて前記接続手段７００を移動させて、連結部材８００と２個の照明モジュールを結合することができる。連結部材８００がお互いに異なる照明モジュールを結合する時お互いに異なる照明モジュール上に置かれる接続溝８３０ａ、８３０ｂ、８３０ｃ、８３０ｄ、８３０ｅ、８３０ｆは、連結部材８００内の配線形態によってお互いに電気的に連結されることができる。例えば、接続部材７００によって結合された時に第１接続溝８３０ａと第２接続溝８３０ｂが電気的に連結されることができるし、第３及び第４接続溝８３０ｃ、８３０ｄと第５及び第６接続溝８３０ｅ、８３０ｆが電気的に連結されることができる。
【０１３５】
接続手段７００は、一つの棒７１０に頭７２０が付いている形態で形成されることができる。接続溝８３０ａ、８３０ｂ、８３０ｃ、８３０ｄ、８３０ｅ、８３０ｆと第３〜第６上部開口部２１３ｃ、２１３ｄ、２１３ｅ、２１３ｆの挿入溝(Ｓ)は、接続手段７００の頭７２０が挿入されることができる程度の大きさで形成されることができるし、ガイド溝(Ｇ)は挿入溝(Ｓ)の幅より狭い幅、すなわち、挿入溝(Ｓ)を通じて挿入された接続手段７００の頭７２０がスライディング方式で移動する時抜け出ることができない程度の幅を有するが、接続手段７００の棒７１０は、円滑に移動可能な程度の幅を有することが望ましい。挿入溝(Ｓ)は、円形、卵円形、多角形の形状のうちで少なくとも一つの形成を有することができる。
【０１３６】
このように接続手段７００を溝に挿入して、スライディング方式で移動させることで、お互いに異なる照明モジュールのケース５００と連結部材８００を結合させることによって、結合の信頼性を確保することができることと共に、その結合が容易になることができる。
【０１３７】
一方、一つ以上の照明モジュールを結合することにおいて、一番末端に位置する照明モジュールの端にも連結部材８００を結合して、全体照明モジュールを支える機構(例えば、照明モジュール支持装置)に固定させなければならない。この時にも上で説明したところのように同一の連結部材８００が使用されることができる。
【０１３８】
前述したように、ケース５００の第３上部開口部２１３ｃと第４上部開口部２１３ｄは、第１及び第２上部開口部２１３ａ、２１３ｂを通る直線に対して非対称的に形成されて、第３及び第４上部開口部２１３ｃ、２１３ｄと第５及び第６上部開口部２１３ｅ、２１３ｆは、ケース５００の中心を通るが、ケース５００の長さ方向と垂直な直線に対して対称的に形成されるために、両末端に位置する照明モジュールの末端、すなわち、他の照明モジュールと結合されない照明モジュールの末端では連結部材８００の第１及び第３接続溝８３０ａ、８３０ｃとケース５００の第３及び第４上部開口部２１３ｃ、２１３ｄがそれぞれ対応することができる。
【０１３９】
また、図１９で、ｘ軸方向に末端に位置する照明モジュールの末端では、連結部材８００の第２及び第６接続溝８３０ｂ、８３０ｆがケース５００の第５及び第６上部開口部２１３ｅ、２１３ｆと対応することができる。ケース５００の末端に形成される２個の上部開口部と連結部材８００の接続溝のうちで２個が対応するように置かれた後には、前述したところと同一の方式で接続手段７００を通じてケース５００と連結部材８００が連結されることができる。
【０１４０】
縁に位置する照明モジュールの末端では、連結部材８００の接続溝とケース５００の開口部との間の対応関係がこのような方式でなされることによって、連結部材８００がケース５００の外郭方向に突出されなくなるし、この時連結部材８００の第３接続溝８３０ｃまたは第６接続溝８３０ｆが利用されることが、連結部材８００に第３接続溝８３０ｃ及び第６接続溝８３０ｆが形成される理由でもある。しかし、縁に位置する照明モジュールの末端にも他の照明モジュールと連結される位置と同一の方式で、連結部材８００とケース５００が連結されることもできる。
【０１４１】
すなわち、縁に位置する照明モジュールを含んだすべての照明モジュールにおいて、ケース５００の第３及び第４上部開口部２１３ｃ、２１３ｄは、それぞれ連結部材８００の第２及び第５接続溝８３０ｂ、８３０ｅに対応されて連結されて、ケース５００の第５及び第６上部開口部２１３ｅ、２１３ｆは、それぞれ連結部材８００の第１及び第４接続溝８３０ａ、８３０ｄに対応されて連結されることもできる。
【０１４２】
照明モジュールと連結される連結部材８００は、締結溝８２０ａ、８２０ｂ、８２０ｃ、８２０ｄに挿入される固定手段を通じて他の支持装置と連結される。
【０１４３】
図２０は、本発明の一実施例で、また他のケースの構造を示した斜視図である。図２０に示すところのように、ケース５５０は図１７の構造と異なり扇形の形状を有する。残りの部分的な特徴は、図１７のケース５００と同一である。
【０１４４】
一方、図面には示さなかったが、ケース５５０の構造によってケース内部に挿入される構造物、例えば、反射板、支持板、導光板などは前記ケースの構造と対応された構造を有する。
【０１４５】
図２１Ａ及び図２１Ｂは、本発明の一実施例によって複数の照明モジュールを結合するための連結部材９００の構成を示す図面であり、図２２Ａ及び図２２Ｂは、本発明による複数の照明モジュールの結合構造を説明するための図面である。
【０１４６】
図２１Ａ及び図２１Ｂに示されるところのように、本発明の連結部材９００は、ベース部９１０、一つ以上の締結溝９２０ａ、９２０ｂ、９２０ｃ、９２０ｄ、突出部９３０を含んで構成されることができる。
【０１４７】
ベース部９１０は平面図上で、すなわち、照明モジュールに結合された時に円形の形状を示す。縁部分には外方向に傾斜している部分が形成されることができる。ベース部９１０の底面上には二つの連結端子９１１ａ、９１１ｂが形成されることができるが、二つの連結端子９１１ａ、９１１ｂはベース部９１０の内部でワイヤを通じて電気的に連結される。また、連結端子９１１、９１１ｂは、図２２Ａ及び図２２Ｂで見るところのように、ケース５５０のメインベース部２１０の縁部２１３に設置されたコネクター３００ａ、３００ｂと電気的に連結される。
【０１４８】
ベース部９１０には一つ以上の締結溝９２０ａ、９２０ｂ、９２０ｃ、９２０ｄが形成される。図面には、第１〜第４締結溝９２０ａ、９２０ｂ、９２０ｃ、９２０ｄが形成される場合を例示したが、締結溝の数はこれに制限されない。
【０１４９】
図２２Ａ及び図２２Ｂを参照すると、第１〜第４締結溝９２０ａ、９２０ｂ、９２０ｃ、９２０ｄは、お互いに結合される２個の照明モジュールのケース５５０に形成されている第３及び第４上部開口部２１３ｃ、２１３ｄ、第５及び第６上部開口部２１３ｅ、２１３ｆに対応する。締結溝９２０ａ、９２０ｂ、９２０ｃ、９２０ｄには締結部材７００が挿入される。締結部材７００は締結溝９２０ａ、９２０ｂ、９２０ｃ、９２０ｄとケース５５０の第３及び第４上部開口部２１３ｃ、２１３ｄ、第５及び第６上部開口部２１３ｅ、２１３ｆをそれぞれ貫通する。
【０１５０】
例えば、一つの締結部材７００が第１締結溝９２０ａ及び第３上部開口部２１３ｃを貫通して、他の締結部材７００が第２締結溝９２０ｂ及び第４上部開口部２１３ｄを貫通することができる。また、また他の締結部材７００が異なる照明モジュールの第３締結溝６２０ｃ及び第５上部開口部２１３ｅを貫通して、残りの締結部材７００が第６上部開口部２１３ｆを貫通することができる。締結部材７００は、くぎ形態、ネジ形態、ピン形態などであることもできて、雌ネジと雄ネジが結合される形態であることもある。このような締結部材７００によって一つの照明モジュールが他の照明モジュールと結合されることができる。
【０１５１】
図２２Ａに示されるところのように、本発明の実施例による扇形の形状のケース５５０を有する照明モジュールどうしに結合されることもできて、図２２Ｂに示されるところのように本発明の実施例による扇形の形状の照明モジュールと通常的な形態のバータイプ照明モジュールが結合されることもできる。
【０１５２】
図２３Ａ〜図２３Ｅは、本発明の実施例によって複数の照明モジュールが結合される場合の一例を示す図面である。
【０１５３】
図２３Ａ〜図２３Ｃに示されるところのように、本発明の実施例による扇形の形状の照明モジュールと既存バータイプ形態の照明モジュールを適切に結合することで、多様な形態の照明装置の具現が可能である。
【０１５４】
また、図２３Ｄに示されるところのように、本発明の実施例による中心角が９０゜である扇形の形状の照明モジュール４個を結合することで、ドーナツ形態の照明装置が得られることもできる。
【０１５５】
一方、図２３Ｅに示されるところのように、図２３Ｄに示されるドーナツ形態の照明装置の中央に円形の照明モジュールを入れることもできる。これによると、ドーナツ形態の結合構造から放出される光の色と中央の円形照明モジュールから放出される光の色がお互いに異なる形態が具現されることもできる。
【０１５６】
以上で実施例を中心に説明したが、これは単に例示であるだけで、本発明を限定するものではなくて、本発明が属する分野の通常の知識を有した者なら本実施例の本質的な特性を脱しない範囲内で、例示されないさまざまの変形と応用が可能であることを分かることができるであろう。本発明の範囲は、前記の詳細な説明よりは後述する特許請求範囲によって現わされて、特許請求範囲の意味及び範囲、そして、その等価概念から導出されるすべての変更または変形された形態が本発明の範囲に含まれるものとして解釈されなければならない。
【符号の説明】
【０１５７】
１１０  導光板
１３０  反射板
１５０ａ  第１光源部
１５０ｂ  第２光源部
１７０ａ  第１光励起フィルム
１７０ｂ  第２光励起フィルム
１９０  拡散板
２００  ケース
４００  照明モジュール
【図１】
0005792010.tif 000002
【図２】
0005792010.tif 000003
【図３】
0005792010.tif 000004
【図４】
0005792010.tif 000005
【図５】
0005792010.tif 000006
【図６】
0005792010.tif 000007
【図７】
0005792010.tif 000008
【図８】
0005792010.tif 000009
【図９】
0005792010.tif 000010
【図１０Ａ】
0005792010.tif 000011
【図１０Ｂ】
0005792010.tif 000012
【図１０Ｃ】
0005792010.tif 000013
【図１１】
0005792010.tif 000014
【図１２Ａ】
0005792010.tif 000015
【図１２Ｂ】
0005792010.tif 000016
【図１２Ｃ】
0005792010.tif 000017
【図１２Ｄ】
0005792010.tif 000018
【図１３】
0005792010.tif 000019
【図１４】
0005792010.tif 000020
【図１５】
0005792010.tif 000021
【図１６】
0005792010.tif 000022
【図１７】
0005792010.tif 000023
【図１８Ａ】
0005792010.tif 000024
【図１８Ｂ】
0005792010.tif 000025
【図１９】
0005792010.tif 000026
【図２０】
0005792010.tif 000027
【図２１Ａ】
0005792010.tif 000028
【図２１Ｂ】
0005792010.tif 000029
【図２２Ａ】
0005792010.tif 000030
【図２２Ｂ】
0005792010.tif 000031
【図２３Ａ】
0005792010.tif 000032
【図２３Ｂ】
0005792010.tif 000033
【図２３Ｃ】
0005792010.tif 000034
【図２３Ｄ】
0005792010.tif 000035
【図２３Ｅ】
0005792010.tif 000036